(57)【要約】【課題】水蒸気と熱から機械室を安価で簡単な構成で保護できる高周波加熱装置を提供すること。【解決手段】被加熱物を収納する加熱庫３０と、被加熱物を加熱する高周波発生手段１４と、被加熱物を加熱する蒸気発生手段１５と、機械室１１内を冷却する為の冷却ファン２８と、高圧電圧を発生させるインバーター電源２６とインバーター電源２６基板を収納保持するプリントベース板２７と、加熱庫の非加熱物の温度を検知する赤外線センサー２５と、赤外線センサー２５へ、赤外線を導入する覗き孔２４を備え  冷却ファン２８による冷却風Ｄが加熱庫３０から機械室１１へ覗き孔２４から排気された水蒸気をふくむ空気を機械室１１外へ導くための風路２１を構成し、熱と、水蒸気による結露から機械室１１内の装置を保護する。【選択図】図３
2006349198.tif 000002
【特許請求の範囲】
【請求項１】
被加熱物を収納する加熱庫と、前記被加熱物を高周波電波によって加熱する高周波発生手段と、前記被加熱物を蒸気によって加熱する蒸気発生手段と、前記高周波加熱手段と蒸気発生手段を制御するための制御手段と、前記制御手段を収納するため前記加熱庫に併設して設けられた機械室と、前記機械室内に外気を取り入れる為の冷却ファンと、前記機械室内に設けられた赤外線センサーと、前記赤外線センサーにより前記被加熱物の温度を検知するために機械室と加熱庫間に設けられた覗き孔とを備え、前記覗き孔を通して前記加熱室から機械室へ排出された水蒸気を含む空気を機械室外へ導くための風路を構成したことを特徴とする高周波加熱装置。
【請求項２】
制御手段は、高周波発生手段に電源を供給するインバーター電源を含み、前記インバーター電源は、回路基板と、前記回路基板の半田面を覆う絶縁性のケースからなり、冷却ファンを機械室後部に配置し、前記インバーター電源を前記冷却ファンの前方上部に部品面を下向きにして配置し、前記ケースから上方に向けて設けた壁状のガイドで風路を構成したことを特徴とする請求項１に記載の高周波加熱装置。
【請求項３】
風路の底面は、機械室外に向けて下がる傾斜を有し、風路内で結露した結露水が機械室外へ、排出されることを特徴とする請求項１または２に記載の高周波加熱装置。
【発明の詳細な説明】
【技術分野】
【０００１】
本発明は、蒸気を利用して被加熱物の加熱を行う機能を有する高周波加熱装置に関するものである。
【背景技術】
【０００２】
従来、この種の高周波加熱装置は、加熱庫７に供給された水蒸気を含む空気Ｂが加熱庫７に設けられた温度検出用の赤外線センサー６の覗き孔８から機械室１に出るのを防ぐために冷却ファン４の送風をエアーガイド（図示せず）で加熱庫７と覗き孔８との間に冷却風Ｃを導入し、機械室１側に圧力空間を作る構成が知られている。これにより、水蒸気を含む空気Ｂの機械室１への流入が抑えられ、同時に赤外線センサー６の検知窓（図示せず）の汚れ防止を行おうとするものである（例えば、特許文献１参照）。
【特許文献１】特開２００４−２６３９８１号公報
【発明の開示】
【発明が解決しようとする課題】
【０００３】
しかしながら、前記従来の構成では、蒸気による加熱量を増すために供給する蒸気の量を増やすと、赤外線センサー６の覗き孔８から蒸気発生装置が発生した高圧水蒸気の排出を止めるための十分な圧力が得られないことがあり、覗き孔８から排出される水蒸気を含んだ空気Ｂが機械室内に滞留し、一方で、装置外から冷却ファン４に吸い込まれた冷却風Ａも機械室１内で分散するため、この空気Ｂが機械室１内で冷やされ結露することで、例えば、機械室１内に設けた制御部品２等の絶縁劣化を起こすことがあった。
【０００４】
本発明は、前記従来の課題を解決するもので水蒸気を含む空気の機械室内における滞留を防止し、機械室内での結露発生を防止することを目的とした高周波加熱装置を提供することを目的とする。
【課題を解決するための手段】
【０００５】
前記従来の課題を解決するために、本発明の高周波加熱装置は、被加熱物を収納する加熱庫と、前記被加熱物を高周波電波によって加熱する高周波発生手段と、前記被加熱物を蒸気によって加熱する蒸気発生手段と、前記高周波加熱手段と蒸気発生手段を制御するための制御手段と、前記制御手段を収納するため前記加熱庫に併設して設けられた機械室と、前記機械室内に外気を取り入れる為の冷却ファンと、前記機械室内に設けられた赤外線センサーと、前記赤外線センサーにより前記被加熱物の温度を検知するために機械室と加熱庫間に設けられた覗き孔とを備え、前記覗き孔を通して前記加熱室から機械室へ排出された水蒸気を含む空気を機械室外へ導くための風路を構成したことを特徴としたものである。
【０００６】
これによって、水蒸気の含んだ空気が機械室内に滞留して機械室内で結露することを確実に防止できる。
【発明の効果】
【０００７】
本発明の高周波加熱装置によれば、冷却ファンから発生した冷却風を効率よく誘導し、加熱庫の覗き孔から出てくる水蒸気の含む空気や熱から機械室を保護することができる。更に構成的にも特殊な装置を必要とせず、簡単な構成で効果的に保護するため、コスト的にも安価に構成できる。
【発明を実施するための最良の形態】
【０００８】
第１の発明は、被加熱物を収納する加熱庫と、前記被加熱物を高周波電波によって加熱する高周波発生手段と、前記被加熱物を蒸気によって加熱する蒸気発生手段と、前記高周波加熱手段と蒸気発生手段を制御するための制御手段と、前記制御手段を収納するため前記加熱庫に併設して設けられた機械室と、前記機械室内に外気を取り入れる為の冷却ファンと、前記機械室内に設けられた赤外線センサーと、前記赤外線センサーにより前記被加熱物の温度を検知するために機械室と加熱庫間に設けられた覗き孔とを備え、前記覗き孔を通して前記加熱室から機械室へ排出された水蒸気を含む空気を機械室外へ導くための風路を構成することにより、冷却ファンからの空気の流れが整流され、覗き孔から排出した水蒸気から機械室を保護することができる。
【０００９】
第２の発明は、特に、請求項１に記載の制御手段は、高周波発生手段に電源を供給するインバーター電源を含み、前記インバーター電源は、回路基板と、前記回路基板の半田面を覆う絶縁性のケースからなり、冷却ファンを機械室後部に配置し、前記インバーター電源を前記冷却ファンの前方上部に部品面を下向きにして配置し、前記ケースから上方に向けて設けた壁状のガイドで風路を構成したことにより、ガイドによって空気が整流され今まで滞留していた熱気と一緒に水蒸気を含んだ空気をより多く機械室の排気口に向かって送ることができ、水蒸気及び加熱庫からの熱から機械室を保護することができる。
【００１０】
第３の発明は、風路の底面を、機械室外に向けて下がる傾斜を有するように構成し、風路内で結露した結露水が機械室外へ、排出されることを特徴とするものである。
【００１１】
以下、本発明の実施の形態について、図面を参照しながら説明する。なお、この実施の形態によって本発明が限定されるものではない。
【００１２】
（実施の形態１）
図１は、本発明の実施の形態１における高周波加熱装置の側面図、図２は同様に空気の流れを説明するための側面図、図３は同様の平面図を示すものである。
【００１３】
図１において、機械室１１には、高周波発振器１４、高周波発振器１４に電源を供給するためのインバータ電源２６、加熱庫３０の側壁に取り付けられ加熱庫３０内に収納された被加熱物の温度を検出する赤外線センサー２５、及びこれら機械室１１内に収納された装置を冷却するために外気を導入する冷却ファン２８が配置されている。また、加熱庫７の奥側底面には、加熱庫７内に蒸気を供給するための蒸気発生手段１５（図３）が設けられている。
【００１４】
そして本実施の形態においては、インバーター電源２６を保持固定するプリントベース板２７とそれを加熱庫３０の側壁横に固定するプリントベース取り付け板２２とその上に赤外線センサー２５の覗き孔から出た水蒸気の含んだ空気を、機械室を冷却した冷却風と一緒に、排出方向へ誘導しやすくするための風路を形成するためのエアーガイド２３を構成している。
【００１５】
なお、プリントベース板２７は樹脂成型にて形成されており、エアーガイド２３は下端をこのプリントベース板２７の傾斜に沿って斜めに構成し、上端を機器本体のカバー（図示ぜず）の内側に沿うように水平に構成しており、エアーガイド２３とプリントベース板２７とカバーとにより風路２１を形成することで、冷却風を整流し機器外部へ誘導しやすい構成としている。
【００１６】
以上のように構成された高周波加熱装置について、以下にその動作、作用を説明する。
【００１７】
図２に示すように、冷却ファン２８の駆動によって、機器の外より外気Ｆを吸引し機械
室１１内に冷却風Ｄが供給される。機械室１１内に供給された外気により機械室１１内の空気の圧力は外気に比べ若干上昇し、冷却風Ｄとエアーガイド２３によって赤外線センサー２５の汚れ防止と冷却のために送られた冷却風Ｉが赤外線センサー２５の覗き孔２４から出た、水蒸気を含んだ空気Ｈと混じり滞留する。そこへ、冷却ファン２８で供給された冷却風Ｄが供給されると、滞留していた空気Ｈと冷却風Ｉは、冷却風Ｄと共に、エアーガイド２３よって作られた風路２１を経由して、排出口（図示せず）から水蒸気を含む空気Ｇとして押し出される。
【００１８】
図３は、この様子を示す平面図で、冷却ファン２８で供給された冷却風Ｄは、覗き孔２４から排出される空気Ｈを巻き込んでエアガイド２３で構成された風路２１を経由し、機器の背面に設けられた排出口（図示せず）から水蒸気を含む空気Ｇとして押し出される。
【００１９】
なお、エアーガイド２３によって作られた図３の傾斜を有する風路は、機器の外部に向けて断面積が拡大するように構成しているので、速度差が生じ排出しやすくなる。又、冷却ファンが外気を吸引したときに出来る負圧１４により吸引力が発生し、これにより機械室内の水蒸気が滞留することが無くなり機械室内での結露が防止され又、熱気を排出することにより熱から温度保護することが出来る。
【００２０】
また、風路２１は機器外部に向けて傾斜しているので、風路内で結露しても機器外に排出することが出来る。
【００２１】
以上のように、本実施の形態においては、赤外線センサーの覗き孔の近傍から機器外部い向けてその断面積が拡大する風路を設けたので、冷却ファンにより機械室に供給された冷却風により、覗き孔から機械室に漏れてきた水蒸気を含む空気を効率よく機器外に排出することが出来る。
【産業上の利用可能性】
【００２２】
以上のように、本発明にかかる高周波加熱装置によれば、機器内に滞留する水蒸気を含んだ空気を効率よく機器外に排出することができるので、水蒸気のみならず、機械室内の装置を冷却して高温になった空気も効率よく排出することも可能となる。
【図面の簡単な説明】
【００２３】
【図１】本発明の実施の形態１における高周波加熱装置の側面図
【図２】本発明の実施の形態１における高周波加熱装置の側面図
【図３】本発明の実施の形態１における高周波加熱装置の上面図
【図４】従来の高周波加熱装置の斜視図
【符号の説明】
【００２４】
１１  機械室
１４  高周波発振器（高周波発生手段）
１５  蒸気発生手段
２１  風路
２２  プリントベース取り付け板
２３  エアーガイド（ガイド）
２４  覗き孔
２５  赤外線センサー
２６  インバーター電源（制御手段）
２７  プリントベース板（ケース）
２８  冷却ファン
３０  加熱庫
【図１】
2006349198.tif 000003
【図２】
2006349198.tif 000004
【図３】
2006349198.tif 000005
【図４】
2006349198.tif 000006